(57)【要約】      （修正有）【課題】太陽光パネルの交換時や故障時や点検時の取り付け・取外しが安全で簡単、且つ、完全防塵・防水構造で熱や強風や豪雨・豪雪や寒冷地等でも気密性が高く長寿命に使用できる太陽光発電を提供する。【解決手段】市販されている太陽光パネル１を簡単に組み付けできる太陽光パネル取り付け治具１００を屋根材や外壁材として利用し、内側からでも外側からでも工具を一切使用せずワンタッチで取り付け・取り外しができる。【選択図】図２
2014201987.tif 000002
【特許請求の範囲】
【請求項１】
市販の太陽光パネルのガラス下面部分を防水用Ｏリングで防水する為に該防水用Ｏリングを取り付けるのに必要な溝の役目を果たす太陽光パネル固定金具が持っている太陽光パネルガラス下面防水Ｏリング用外側壁の機能と太陽光パネルガラス下面防水Ｏリング用内側壁を取り付けた太陽光パネル取り付け治具。
【請求項２】
該太陽光パネルに該太陽光パネル固定金具を取り付け、更に、上部固定ロック金具と下部固定ロック装置と下部固定ロック外部解除装置と太陽光パネル取り付け治具取り付け・取外し用左右取手と左右固定ロックピン用ガイド溝と太陽光パネル雨水・散水流路金具と太陽光パネル雨水・散水流路金具押さえ用バネで構成する治具と該太陽光パネル固定金具がボルトで固定できる請求項１記載の太陽光パネル取り付け治具
【請求項３】
請求項１と請求項２記載の該太陽光パネル取り付け治具を固定する為、上部固定ロック受け金具と下部固定ロック受け装置と下部固定ロック内部解除装置と左右固定ロックピンと太陽光パネル取り付け治具取り付け用防塵・防水建物本体用防水パッキンで構成される太陽光パネル取り付け治具取り付け用防塵・防水建物本体。
【請求項４】
該太陽光パネルを屋根材や外壁材として完全防塵・防水構造で熱や強風や豪雨・豪雪や寒冷地等でも気密性が高く長寿命に使用できるようにした該太陽光パネル取り付け治具と該太陽光パネル取り付け治具取り付け用防塵・防水建物本体の組み合わせ構造。
【請求項５】
請求項２記載の該下部固定ロック装置と該下部固定ロック外部解除装置と請求項３記載の該下部固定ロック受け装置と該下部固定ロック内部解除装置の組み合わせで内部からでも外部からでも安全で簡単に工具を一切使用しないでワンタッチで該太陽光パネルを取り付け・取外しできる固定ロック機構。
【請求項６】
請求項１と請求項２記載の該太陽光パネル取り付け治具で該防水用Ｏリングと該太陽光パネルガラス下面防水Ｏリング用内側壁と該太陽光パネル取り付け治具取り付け・取外し用左右取手と該太陽光パネル雨水・散水流路金具と該太陽光パネル雨水・散水流路金具押さえ用バネを取り付けずに防塵・防水では無いが熱や強風や豪雨・豪雪や寒冷地等でも長寿命に使用できるようにした外部からのみ安全で簡単に工具を一切使用しないでワンタッチで該太陽光パネルを取り付け・取外しできる屋根材や外壁材で無い太陽光発電専用の低コスト仕様にした太陽光パネル取り付け治具。
【発明の詳細な説明】
【技術分野】
【０００１】
本発明は、市販されている太陽光パネルを簡単に組み付けて、該太陽光パネルを完全防塵・防水構造で気密性が高く屋根材や外壁材として利用し、施工時間が極端に少なく施工費用を低コストにするタイプと防塵・防水構造ではないが更に低コストで太陽光発電専用のタイプの二種類がある。更に、二種類のタイプ共通の内側（防水タイプのみ）からでも外側からでも工具を一切使用せずワンタッチで取り付け・取り外しができ該太陽光パネルの交換時や故障時や点検時の取り付け・取外しが安全で簡単、且つ、熱や強風や豪雨・豪雪や寒冷地等でも長寿命に使用する該太陽光パネルを取り付ける構造に関するものである。
【背景技術】
【０００２】
現在の太陽光パネルは屋根材や外壁材の上に載せて使用する物がほとんどで、一部に屋根材や外壁材として利用する物はあるが、取り付け、取り外しが大変で点検や修理に時間が掛かる。
【０００３】
施工時間も多く、施工費用が高コストで該太陽光パネルを世の中に普及し辛くしている。
【０００４】
現在の施工技術では防塵・防水性や気密性に問題がある。
【先行技術文献】
【特許文献】
【０００５】
【特許文献１】特許公開２０１１−５２５２７号公報
【特許文献２】特許公開２０１０−９０７０１号公報
【特許文献３】特許公開２００５−７６３４０号公報
【特許文献４】特許公開２００５−６４１４７号公報
【特許文献５】特許公開２００２−２２７３５３号公報
【特許文献６】特許公開２０００−１２９８６９号公報
【特許文献７】特許公開平７−２６６８３号公報
【発明の概要】
【発明が解決しようとする課題】
【０００６】
太陽光パネルを新規取り付け工事の時に施工時間が多くかかり高コストである。
【０００７】
該太陽光パネルの故障時や点検時にメンテナンスがやり辛く時間とコストが掛かる。
【０００８】
該太陽光パネルの現状の施工方法では防塵・防水性に問題があり該太陽光パネルの他に屋根材や外壁材を必要とする。
【課題を解決するための手段】
【０００９】
本発明は、課題を解決する為に以下の手段をとった。太陽光パネルの取り付け時間を短縮する為、外部からでも内部からでもワンンタッチで工具を一切使用せず取り付けを可能にした。故障時や点検時や交換時の取外しも取り付け時と同様短時間に外部からでも内部からでもワンタッチで工具を一切使用せず取外しを可能にした。尚、防塵・防水性と熱や強風や豪雨・豪雪や寒冷地等でも気密性と長寿命を確保する事で屋根材や外壁材等に使用する。
【発明の効果】
【００１０】
本発明は、太陽光パネルをいろいろな多くの建築物の屋根材や外壁材として利用や太陽光発電に利用でき、建設費を抑え、同時に発電をし、太陽光パネルの急速な普及に貢献する。
【００１１】
本発明は、該太陽光パネルが発電としての利用価値が無くなっても簡単に取り付け・取外しができる事で低価格で建築物の屋根材や外壁材等として再利用や該太陽光パネルとして再生利用する。
【００１２】
本発明は、該太陽光パネルが急速な普及をする事で再生可能エネルギーが日本の消費電力量の全てを発電供給する事を実現する。
【００１３】
本発明は、太陽光発電が二酸化炭素（CO2）の排出がゼロである為、該太陽光パネルが急速な普及をする事で早期の低炭素社会の実現に貢献する。
【発明を実施するための形態】
【００１４】
以下では、本発明の実施の形態について図を参照して説明する。図１は太陽光パネル（１）の施工全体外観図を示す。
図２の該太陽光パネル（１）の構成図では取り付け・取外しをワンタッチで可能にする全構成図を示す。
【００１５】
本発明は図２で上部固定ロック金具（１０１）と下部固定ロック装置（１０２）と下部固定ロック外部解除装置（１０３）と太陽光パネル取り付け治具取り付け・取外し用左右取手（１０４）と太陽光パネル固定金具（１０５）と左右固定ロックピン用ガイド溝（１０６）と太陽光パネル雨水・散水流路金具（１０７）と太陽光パネル雨水・散水流路金具押さえ用バネ（１０８）と太陽光パネルガラス下面防水Ｏリング用内側壁（１０９）で構成される太陽光パネル取り付け治具（１００）が上部固定ロック受け金具（２０１）と下部固定ロック受け装置（２０２）と下部固定ロック内部解除装置（２０３）と左右固定ロックピン（２０４）と太陽光パネル取り付け治具取り付け用防塵・防水建物本体用防水パッキン（２０５）で構成される太陽光パネル取り付け治具取り付け用防塵・防水建物本体（２００）との組み合わせで屋根材や外壁材として利用し、熱や強風や豪雨・豪雪や寒冷地等でも気密性が高く長寿命に利用できる様に機能する。
【００１６】
図３で該太陽光パネル（１）に該太陽光パネル固定金具（１０５）を取り付け、太陽光パネル下面防水Ｏリング（２）が該太陽光パネルガラス下面防水Ｏリング用内側壁（１０９）にはめ込まれ該太陽光パネル固定金具（１０５）との間に入り該太陽光パネル（１）のガラス下面と該太陽光パネル取り付け治具（１００）に接触し押し潰れる様に該太陽光パネル取り付け治具（１００）にボルトで固定する。これで該太陽光パネル（１）が該太陽光パネル取り付け治具（１００）により防塵・防水状態になり該太陽光パネル取り付け治具取り付け用防塵・防水建物本体（２００）に取り付けられる状態になる。
【００１７】
該太陽光パネル（１）の内側からの取り付け方法は図９で該太陽光パネル取り付け治具（１００）の該下部固定ロック外部解除装置（１０３）をゆっくり押して行き固定ロック装置アンロック固定位置内部解除装置逃げ状態（３０４）にして作業者二人で図２の該太陽光パネル取り付け治具取り付け・取外し用左右取手（１０４）を左右各一人ずつで持ち、該左右固定ロックピン用ガイド溝（１０６）に沿って該左右固定ロックピン（２０４）をスライドさせていくと該太陽光パネル取り付け治具取り付け用防塵・防水建物本体用防水パッキン（２０５）に該太陽光パネル取り付け治具（１００）が当る。更に、下に引きながら少し力を入れてスライドしていき該左右固定ロックピン用ガイド溝（１０６）の先端奥まで行き該太陽光パネル取り付け治具取り付け・取外し用左右取手（１０４）を放すと該太陽光パネル取り付け治具（１００）が該太陽光パネル取り付け治具取り付け用防塵・防水建物本体用防水パッキン（２０５）により少し押し上げられ該左右固定ロックピン（２０４）が該左右固定ロックピン用ガイド溝（１０６）でロックする。その時、該上部固定ロック金具（１０１）と該上部固定ロック受け金具（２０１）もロック状態になる。次に図９の該下部固定ロック内部解除装置（２０３）を押して固定ロック装置アンロック固定位置解除状態（３０５）にして一気に引くと該下部固定ロック装置（１０２）と該下部固定ロック受け装置（２０２）が固定ロック装置ロック状態（３００）になり該太陽光パネル取り付け治具（１００）と該太陽光パネル取り付け治具取り付け用防塵・防水建物本体（２００）が取り付け固定状態になる。
【００１８】
該太陽光パネル（１）の内側からの取外し方法は図９で該太陽光パネル取り付け治具取り付け用防塵・防水建物本体（２００）の該下部固定ロック内部解除装置（２０３）をゆっくり押して行き該固定ロック装置アンロック固定位置内部解除装置逃げ状態（３０４）にして作業者二人で図２の該太陽光パネル取り付け治具取り付け・取外し用左右取手（１０４）を左右各一人ずつで持ち、該左右固定ロックピン用ガイド溝（１０６）に沿って少し下に引き下げる。更に、該左右固定ロックピン用ガイド溝（１０６）に沿って該左右固定ロックピン（２０４）をスライドさせていき該太陽光パネル取り付け治具取り付け用防塵・防水建物本体（２００）より該太陽光パネル取り付け治具（１００）を取外す。
【００１９】
００１７項と００１８項により該太陽光パネル（１）の内側からの取り付け・取外しは工具を一切使用せず安全で簡単にワンタッチで短時間にでき、完全防塵・防水構造で熱や強風や豪雨・豪雪や寒冷地等でも気密性と長寿命を確保する。
【００２０】
該太陽光パネル（１）の外側からの取り付け方法は図９で該太陽光パネル取り付け治具（１００）の該下部固定ロック外部解除装置（１０３）をゆっくり押して行き固定ロック装置アンロック固定位置内部解除装置逃げ状態（３０４）にして作業者二人で図２の該太陽光パネル取り付け治具（１００）を外側から上下各一人ずつで持ち、該左右固定ロックピン用ガイド溝（１０６）に沿って該左右固定ロックピン（２０４）をスライドさせていくと該太陽光パネル取り付け治具取り付け用防塵・防水建物本体用防水パッキン（２０５）に該太陽光パネル取り付け治具（１００）が当る。更に、下に押しながら少し力を入れてスライドしていき該左右固定ロックピン用ガイド溝（１０６）の先端奥まで行き該太陽光パネル取り付け治具（１００）を放すと該太陽光パネル取り付け治具（１００）が該太陽光パネル取り付け治具取り付け用防塵・防水建物本体用防水パッキン（２０５）により少し押し上げられ該左右固定ロックピン（２０４）が該左右固定ロックピン用ガイド溝（１０６）でロックする。その時、該上部固定ロック金具（１０１）と該上部固定ロック受け金具（２０１）もロック状態になる。次に図９の該下部固定ロック外部解除装置（１０３）を押して固定ロック装置アンロック固定位置解除状態（３０５）にして一気に引くと該下部固定ロック装置（１０２）と該下部固定ロック受け装置（２０２）が固定ロック装置ロック状態（３００）になり該太陽光パネル取り付け治具（１００）と該太陽光パネル取り付け治具取り付け用防塵・防水建物本体（２００）が取り付け固定状態になる。
【００２１】
該太陽光パネル（１）の外側からの取外し方法は図９で該太陽光パネル取り付け治具（１００）の該下部固定ロック外部解除装置（１０３）をゆっくり押して行き該固定ロック装置アンロック固定位置内部解除装置逃げ状態（３０４）にして作業者二人で図２の該太陽光パネル取り付け治具（１００）を外側から上下各一人ずつで持ち、該左右固定ロックピン用ガイド溝（１０６）に沿って少し下に押し下げる。更に、該左右固定ロックピン用ガイド溝（１０６）に沿って該左右固定ロックピン（２０４）をスライドさせていき該太陽光パネル取り付け治具取り付け用防塵・防水建物本体（２００）より該太陽光パネル取り付け治具（１００）を取外す。
【００２２】
００２０項と００２１項により該太陽光パネル（１）の外側からの取り付け・取外しは工具を一切使用せず安全で簡単にワンタッチで短時間にでき、完全防塵・防水構造で熱や強風や豪雨・豪雪や寒冷地等でも気密性と長寿命を確保する。
【００２３】
図４は太陽光パネル（１）の左右連結を示した構成図で該太陽光パネル取り付け治具（１００）の左右間の隙間はほとんど無く雨水・散水等がこの隙間から下に流れるのは少量である。
【００２４】
図５は図４を更に詳細に示した詳細構成図である。
【００２５】
図６は該太陽光パネル取り付け治具取り付け用防塵・防水建物本体（２００）の全構成を示した構成図で太陽光パネル（１）１枚に対して一つの四角い穴が開いていてその穴の周りには額縁の様に縁が突き出ている。突き出ている縁の周りには該太陽光パネル取り付け治具取り付け用防塵・防水建物本体用防水パッキン（２０５）が取り付けられ該太陽光パネル取り付け治具（１００）と該太陽光パネル取り付け治具取り付け用防塵・防水建物本体（２００）の防塵・防水の役目をする。尚、該太陽光パネル取り付け治具取り付け用防塵・防水建物本体用防水パッキン（２０５）の上部には該太陽光パネル取り付け治具（１００）と接触する空洞のチューブが付いていて押すと潰れ、放すと戻る習性がある。
【００２６】
図７は該太陽光パネル（１）を屋根材として使用し、太陽光パネル傾斜角度３０度（３）の傾斜を付けて上下に並べて取り付けた構成図で該太陽光パネル取り付け治具（１００）の上下間は該下部固定ロック外部解除装置（１０３）が動作できる分だけ空いている。その空間に蓋をする為、該太陽光パネル雨水・散水流路金具（１０７）と該太陽光パネル雨水・散水流路金具押さえ用バネ（１０８）が取り付けて有り、該太陽光パネル雨水・散水流路金具（１０７）を手で持ち上げると上に上がり放すと該太陽光パネル雨水・散水流路金具押さえ用バネ（１０８）により下に下がり空間に蓋をする。尚、該太陽光パネル雨水・散水流路金具（１０７）の役目は雨水・散水等を該太陽光パネル取り付け治具（１００）の上下間の空間に流れ込まない様にし、該太陽光パネル（１）の上をほとんどの雨水・散水等が流れ冷却や掃除をする。
【００２７】
図８は該太陽光パネル（１）を外壁材として使用し、上下に垂直に並べて取り付けた構成図で００２６項の屋根材と内容は同じである。
【００２８】
図３で該太陽光パネル（１）に該太陽光パネル固定金具（１０５）を取り付け、太陽光パネル下面防水Ｏリング（２）を取り付けずに該太陽光パネルガラス下面防水Ｏリング用内側壁（１０９）と太陽光パネル取り付け治具取り付け・取外し用左右取手（１０４）と太陽光パネル雨水・散水流路金具（１０７）と太陽光パネル雨水・散水流路金具押さえ用バネ（１０８）も無しに該太陽光パネル取り付け治具（１００）にボルトで固定する。これで該太陽光パネル（１）が防塵・防水では無いが熱や強風や豪雨・豪雪や寒冷地等でも長寿命に使用できる事と外部からのみ安全で簡単に工具を一切使用しないでワンタッチで該太陽光パネル（１）を取り付け・取外しできる該太陽光パネル取り付け治具（１００）になり屋根材や外壁材で無く太陽光発電専用に低コストの仕様にした。
【図面の簡単な説明】
【００２９】
【図１】図１は太陽光パネル（１）の施工全体外観図である。
【図２】図２は太陽光パネル（１）を屋根材や外壁材として取り付ける全構成を示した構成図である。
【図３】図３は太陽光パネル（１）のガラス下面部にＯリングを取り付ける外観図と構成図である。
【図４】図４は太陽光パネル（１）の左右連結を示した構成図である。
【図５】図５は太陽光パネル（１）と太陽光パネル取り付け治具（１００）と太陽光パネル取り付け治具取り付け用防塵・防水建物本体（２００）の左右連結を示した詳細構成図である。
【図６】図６は太陽光パネル取り付け治具取り付け用防塵・防水建物本体（２００）の全構成を示した構成図である。
【図７】図７は太陽光パネル（１）を屋根として傾斜を付けて上下に取り付けた構成図である。
【図８】図８は太陽光パネル（１）を外壁として垂直に上下に取り付けた構成図である。
【図９】図９は太陽光パネル取り付け治具（１００）と太陽光パネル取り付け治具取り付け用防塵・防水建物本体（２００）を固定する下部固定ロック装置（１０２）・下部固定ロック外部解除装置（１０３）と下部固定ロック受け装置（２０２）・下部固定ロック内部解除装置（２０３）の動作状態を示した状態図である。
【符号の説明】
【００３０】
１       太陽光パネル
２       太陽光パネルガラス下面防水Ｏリング
３       太陽光パネル傾斜角度３０度
１００   太陽光パネル取り付け治具
１０１   上部固定ロック金具
１０２   下部固定ロック装置
１０３   下部固定ロック外部解除装置
１０４   太陽光パネル取り付け治具取り付け・取外し用左右取手
１０５   太陽光パネル固定金具
１０６   左右固定ロックピン用ガイド溝
１０７   太陽光パネル雨水・散水流路金具
１０８   太陽光パネル雨水・散水流路金具押さえ用バネ
１０９   太陽光パネルガラス下面防水Ｏリング用内側壁
２００   太陽光パネル取り付け治具取り付け用防塵・防水建物本体
２０１   上部固定ロック受け金具
２０２   下部固定ロック受け装置
２０３   下部固定ロック内部解除装置
２０４   左右固定ロックピン
２０５   太陽光パネル取り付け治具取り付け用防塵・防水建物本体用防水パッキン
３００   固定ロック装置ロック状態
３０１   固定ロック装置アンロック始め状態
３０２   固定ロック装置アンロック途中状態
３０３   固定ロック装置アンロック固定位置状態
３０４   固定ロック装置アンロック固定位置内部解除装置逃げ状態
３０５   固定ロック装置アンロック固定位置解除状態
【図１】
2014201987.tif 000003
【図２】
2014201987.tif 000004
【図３】
2014201987.tif 000005
【図４】
2014201987.tif 000006
【図５】
2014201987.tif 000007
【図６】
2014201987.tif 000008
【図７】
2014201987.tif 000009
【図８】
2014201987.tif 000010
【図９】
2014201987.tif 000011